(57)【要約】    【課題】防犯設定のための機器を住戸外に別途設けることなく、来訪者が呼出操作を行うような玄関子機の呼出部を使用して防犯設定の対象である防犯センサを監視状態に移行させ、防犯設定の利便性を高める。    【解決手段】玄関子機１ａ、１ｂ、１ｃの呼出部１０を使用して防犯設定の対象である防犯センサ２ａ、２ｂ、２ｃを監視状態に移行させる。また、居室親機３の防犯設定部３４が操作され、タイマ３５にて所定の時間が計時されている旨を玄関子機の子機表示部１４を使用して報知する。さらに、監視状態への移行のための操作が行われた玄関子機のみに監視状態に移行したことを報知する。  【選択図】図１
2007096718.tif 000002
【特許請求の範囲】
【請求項１】
屋外、エントランスに設置され来訪者が居室呼び出しを行うための呼出部（１０）および通話を成立させるための子機通話部（１２、１３）を有する玄関子機（１ａ、１ｂ、１ｃ）と、屋内に設置され前記玄関子機からの居室呼び出しに応答するための操作部（３３）および通話を成立させるための親機通話部（３０、３１）を有する居室親機（３）と、前記居室親機に接続され居室の窓やドアの開閉、前記居室の動態等の異常を検出するための防犯センサ（２ａ、２ｂ、２ｃ）とを備え、
前記居室親機は、前記防犯センサを監視状態に移行させて防犯設定を行うための防犯設定部（３４）と、前記防犯設定部にて防犯設定が行われてから前記監視状態に移行するまでの所定の時間を計時するためのタイマ（３５）と、前記所定の時間が経過する前に前記玄関子機にて前記呼出部の長押し等の所定の操作がされたことを検出して前記監視状態に移行させる制御を行うためのＣＰＵ（３９）とを有することを特徴とするインターホンシステム。
【請求項２】
前記玄関子機には、前記居室親機のタイマが計時中であることを報知するための子機表示部（１４）を備えることを特徴とする請求項１記載のインターホンシステム。
【請求項３】
前記玄関子機は、前記居室親機に複数台接続可能であり、前記居室親機のＣＰＵは、何れかの玄関子機の前記所定の操作であっても前記監視状態に移行する制御を行うことを特徴とする請求項１または請求項２項記載のインターホンシステム。
【請求項４】
前記ＣＰＵは、前記所定の操作が行われた玄関子機の情報を取得し、当該玄関子機に対してのみ前記監視状態に移行したことを報知する制御を行うことを特徴とする請求項３記載のインターホンシステム。
【発明の詳細な説明】
【技術分野】
【０００１】
本発明はインターホンシステムに係り、特に、居室の窓の開閉、居室の動態等の異常を検出／報知することができるインターホンシステムに関する。
【背景技術】
【０００２】
従来から、この種のインターホンシステムとして、例えば、特許文献１記載の防犯警戒装置および特許文献２記載のインターホン装置がそれぞれ開示されている。
【０００３】
特許文献１記載の防犯警戒装置によれば、戸外に、制御機に接続され警戒セットを設定する戸外設定スイッチと、戸外設定スイッチにより警戒セットが設定されたとき、制御機の制御により音声合成ＩＣからの警戒セット確認音を鳴動する戸外スピーカとを設けたので、切換えスイッチの煩雑な操作もなく、警戒設定、すなわち、警戒設定確認が可能である。
【０００４】
また、特許文献２記載のインターホン装置によれば、住戸外において防犯警戒の設定操作が行われたときに、監視対象の状態を検出し、監視対象の状態に応じた内容を音声で設定者に報知するようにしたため、警戒設定の操作が正常に行われたか否かを設定者が認識することができる。
【０００５】
【特許文献１】特開平１０−１３４２８６号公報（段落番号「００１１」乃至「００１７」、第１図および第２図）
【特許文献２】特開平１０−１３９６７号公報（段落番号「０００９」乃至「００２５」、第１図乃至第３図）
【発明の開示】
【発明が解決しようとする課題】
【０００６】
しかしながら、特許文献１記載の防犯警戒装置および特許文献２記載のインターホン装置によれば、防犯警戒の設定場所が戸外（住戸外）に限定されていた。このため、外出しようとしている居住者は、住戸内に設置された居室親機にて防犯センサが監視状態となるような設定を行った後、所定の時間が経過するまで玄関先で待機し、玄関子機のスピーカから放音されるメッセージを確認した後でなければ外出できないので、所定の時間が長く設定されていると、玄関先で長時間待機せねばならなかった。
【０００７】
また、玄関先における長時間の待機を回避するにあたり、防犯センサが監視状態となるような設定を戸外（住戸外）にて行うためには、戸外設定器を別途設ける必要があり施工コストが増大するばかりでなく、この戸外設定器と居室親機とを接続するにあたり配線が煩雑であった。
【０００８】
さらに、近年においては、複数の玄関を有する住戸が増えている。このような住戸によれば、玄関毎に防犯設定ための機器を設置せねばならず施工コストが増大するばかりでなく、居住者にとっては、防犯設定の操作を行った特定の機器が設置されている玄関より外出せねばならなかった。
【０００９】
本発明は、この難点を解消するためになされたもので、防犯設定のための機器を住戸外に別途設けることなく、来訪者が呼出操作を行うような玄関子機の呼出部を使用して防犯設定の対象である防犯センサを監視状態に移行させることができる防犯設定の利便性が高められたインターホンシステムを提供することを目的としている。
【課題を解決するための手段】
【００１０】
前述の目的を達成するため、本発明の第１の態様であるインターホンシステムは、屋外、エントランスに設置され来訪者が居室呼び出しを行うための呼出部および通話を成立させるための子機通話部を有する玄関子機と、屋内に設置され玄関子機からの居室呼び出しに応答するための操作部および通話を成立させるための親機通話部を有する居室親機と、居室親機に接続され居室の窓やドアの開閉、居室の動態等の異常を検出するための防犯センサとを備えたものである。居室親機は、防犯センサを監視状態に移行させて防犯設定を行うための防犯設定部と、防犯設定部にて防犯設定が行われてから監視状態に移行するまでの所定の時間を計時するためのタイマと、所定の時間が経過する前に玄関子機にて呼出部の長押し等の所定の操作がされたことを検出して監視状態に移行させる制御を行うためのＣＰＵとを有するものである。
【００１１】
また、本発明の第２の態様であるインターホンシステムは、本発明の第１の態様において、玄関子機には、居室親機のタイマが計時中であることを報知するための子機表示部を備えたものである。
【００１２】
また、本発明の第３の態様であるインターホンシステムは、本発明の第１の態様または第２の態様において、玄関子機は、居室親機に複数台接続可能であり、居室親機のＣＰＵは、何れかの玄関子機の所定の操作であっても監視状態に移行する制御を行うものである。
【００１３】
また、本発明の第４の態様であるインターホンシステムは、本発明の第３の態様において、ＣＰＵは、所定の操作が行われた玄関子機の情報を取得し、玄関子機に対してのみ監視状態に移行したことを報知する制御を行うものである。
【発明の効果】
【００１４】
本発明のインターホンシステムによれば、来訪者が呼出操作を行うような玄関子機の呼出部を使用して防犯設定の対象である防犯センサを監視状態に移行させることができる。したがって、防犯設定のための機器を住戸外に別途設ける必要がなく施工コストを低く抑えることができる。また、外出しようとしている居住者にとっては、居室親機の防犯設定部が操作され、タイマにて所定の時間が計時されている旨を玄関子機の子機表示部を使用して確認できるばかりでなく、この計時のタイムアップを待たずして、防犯センサの監視状態への移行を容易かつ迅速に行うことができるため、使い勝手がよく防犯設定の利便性が高められる。
【００１５】
また、本発明のインターホンシステムによれば、複数の玄関を有する住戸に当該インターホンシステムを適用するように、複数の玄関子機を設けた場合、それぞれの玄関子機において、呼出部を使用して防犯設定の対象である防犯センサを監視状態に移行させることができるばかりでなく、この操作が行われた玄関子機のみに監視状態に移行したことを報知できるため、居住者にとって使い勝手がよく防犯設定の利便性が高められる。
【発明を実施するための最良の形態】
【００１６】
以下、本発明のインターホンシステムを適用した最良の実施の形態例について、図面を参照して説明する。
【００１７】
図１（ａ）は、本発明を実施するための最良の一形態であるインターホンシステムの全体構成（外観構成）を示すシステム説明図である。
【００１８】
図１（ａ）に示すインターホンシステムは、屋外、エントランスに設置され、来訪者が屋内に在室中の居住者に対して居室呼び出しを行い、通話を成立させるための少なくとも１台の玄関子機、ここでは、３台の玄関子機（以下、第１、第２、第３の各玄関子機という。）１ａ、１ｂ、１ｃと、（屋内における）居室の窓の開閉、当該居室の動態を検出するための少なくとも１台の防犯センサ、ここでは、３台の防犯センサ（以下、第１、第２、第３の各防犯センサという。）２ａ、２ｂ、２ｃと、屋内に設置され、３本の各子機／親機ラインＬ1a、Ｌ1b、Ｌ1cを経由して第１、第２、第３の各玄関子機１ａ、１ｂ、１ｃにそれぞれ接続されており、来訪者からの居室呼び出しが報知され、この呼び出しに応答した居住者が来訪者との間で通話を成立させるとともに、３本の各センサ／親機ラインＬ2a、Ｌ2b、Ｌ2cを経由して第１、第２、第３の各防犯センサ２ａ、２ｂ、２ｃにそれぞれ接続されており、当該防犯センサにて検出された異常（以下、セキュリティ異常という。）を報知（警報報知）するための居室親機３とを備えている。なお、居室親機３に接続される当該玄関子機および当該防犯センサは、３台ずつに限定されるものではなく、任意の台数を設けることができる。
【００１９】
第１、第２、第３の各玄関子機１ａ、１ｂ、１ｃはそれぞれ同様な構成であり、呼出ボタン１０、カメラ１１、子機マイク１２、子機スピーカ１３、ＬＥＤ（Light Emitting Diode）１４を有している。
【００２０】
この玄関子機１ａ、１ｂ、１ｃにおいて、呼出ボタン１０は、来訪者が居住者に対して居室呼び出しを行うための所定の操作、例えば、ワンショット操作や、第１、第２、第３の各防犯センサ２ａ、２ｂ、２ｃのうち防犯設定の対象である当該防犯センサを監視状態に移行させるための所定の操作、例えば、長押しが行われる呼出部を構成する。
【００２１】
カメラ１１は、（呼出操作を行った）来訪者の映像や自機器が設置された周囲環境の映像（監視映像）を撮像するための撮像部を構成する。このカメラ１１としては、例えば、Charge Coupled Device）撮像素子、ＣＭＯＳ（Complementary Metal Oxide Semiconductor）撮像素子等が好適とされる。
【００２２】
子機マイク１２および子機スピーカ１３は、来訪者が居住者との間で通話を成立させるにあたり、音声（送話音声、受話音声）を入出力するための子機通話部を構成する。なお、子機スピーカ１３は、前述の通話機能（受話機能）の他に、来訪者による呼び出しが居室親機３にて正常に検出された旨の呼出確認音（メッセージを含む。）、防犯設定が完了し、第１、第２、第３の各防犯センサ２ａ、２ｂ、２ｃのうち防犯設定の対象である防犯センサが監視状態に移行された旨の設定完了確認音（音声メッセージを含む。）または未完了である旨の設定未完確認音（メッセージを含む。）、監視状態である当該防犯センサのうち少なくとも何れかの１つの防犯センサにてセキュリティ異常が検出された旨の警報音（音声メッセージを含む。）を出力する機能を有している。
【００２３】
ＬＥＤ１４は、居室親機３の後述するタイマ３５が計時している旨を報知（視認報知）するために所定のパターンで点滅／点灯される子機表示部を構成する。なお、ＬＥＤ１４は、前述の報知機能の他に、来訪者による呼び出しが居室親機３にて正常に検出された旨の内容や、居住者により応答操作が行われた通話状態である旨の内容を報知する機能を有している。
【００２４】
居室親機３は、親機マイク３０、親機スピーカ３１、モニタ３２、通話ボタン３３、防犯設定ボタン３４を有している。
【００２５】
この居室親機３において、親機マイク３０および親機スピーカ３１は、居住者が来訪者との間で通話を成立させるにあたり、音声（送話音声、受話音声）を入出力するための親機通話部を構成する。なお、親機スピーカ３１は、前述の通話機能（受話機能）の他に、第１、第２、第３の各玄関子機１ａ、１ｂ、１ｃを使用した来訪者からの呼び出しがある旨の呼出音（音声メッセージを含む。）、監視状態である当該防犯センサのうち少なくとも何れか１つの防犯センサにてセキュリティ異常が検出された旨の警報音を出力する機能を有している。
【００２６】
モニタ３２は、第１、第２、第３の各玄関子機１ａ、１ｂ、１ｃのカメラ１１にて撮像された映像を出画するための親機表示部を構成する。このモニタ３２としては、例えば、ＬＣＤ（Liquid crystal display）や有機ＥＬ（Electro Luminescence）ディスプレイ等が好適とされる。なお、モニタ３２は、前述の映像出画機能の他に、第１、第２、第３の各玄関子機１ａ、１ｂ、１ｃを使用した来訪者からの呼び出しがある旨の文字メッセージや絵データ等、通話ボタン３３が操作された通話状態である旨の文字メッセージや絵データ等、防犯設定ボタン３４が操作された旨の文字メッセージや絵データ等、第１、第２、第３の各玄関子機１ａ、１ｂ、１ｃのうち何れかの１つの玄関子機の呼出ボタン１０にて防犯設定のための操作が行われた旨の文字メッセージや絵データ等、監視状態である当該防犯センサのうち少なくとも何れか１つの防犯センサにてセキュリティ異常が検出された旨の文字メッセージや絵データ等を、それぞれ表示する機能を有している。
【００２７】
通話ボタン３３は、第１、第２、第３の各玄関子機１ａ、１ｂ、１ｃを使用した来訪者からの居室呼び出しがあることを確認した居住者が応答して、来訪者との間で通話を成立させるための操作が行われる操作部を構成する。
【００２８】
防犯設定ボタン３４は、第１、第２、第３の各防犯センサ２ａ、２ｂ、２ｃのうち対象とされた防犯センサの防犯設定を起動させるための操作が行われるものである。
【００２９】
図１（ｂ）は、本発明を実施するための最良の実施の一形態例であるインターホンシステムにおいて、居室親機３の具体的な構成を示すブロック図である。なお、第１、第２、第３の各玄関子機１ａ、１ｂ、１ｃおよび第１、第２、第３の各防犯センサ２ａ、２ｂ、２ｃについての具体的な構成の図示および説明は、省略するものとする。
【００３０】
図１（ｂ）に示す居室親機３には、前述の親機マイク３０、親機スピーカ３１、モニタ３２、通話ボタン３３および防犯設定ボタン３４と、タイマ３５と、防犯設定回路３６と、通話回路３７と、復調回路３８と、ＣＰＵ３９と、２つの通信回路（以下、それぞれ子機側親機Ｉ／Ｆ、センサ側親機Ｉ／Ｆという。）４０、４１とが備えられている。
【００３１】
この居室親機３において、タイマ３５は、ＣＰＵ３９の制御により（計時機能が）能動となり、防犯設定ボタン３４が操作されてから第１、第２、第３の各防犯センサ２ａ、２ｂ、２ｃのうち防犯設定の対象である防犯センサが監視状態に移行するまでの所定の時間（以下、遅延時間という。）を計時するためのものである。なお、タイマ３５は、前述の計時機能の他に、第１、第２、第３の各玄関子機１ａ、１ｂ、１ｃのうち何れか１つの玄関子機との間で成立される通話の通話時間を計時する機能を有している。
【００３２】
防犯設定回路３６は、第１、第２、第３の各防犯センサ２ａ、２ｂ、２ｃのうち防犯設定の対象の防犯センサやタイマ３５にて計時される遅延時間を設定するためのものである。この防犯設定回路３６としては、例えば、ＤＩＰスイッチ等が好適とされる。
【００３３】
通話回路３７は、ＣＰＵ３９により制御され、親機マイク３０および親機スピーカ３１にて入出力される音声（送話音声、受話音声）であり、信号処理された音声信号について４線／２線変換、２線４線変換、増幅等を行い、信号伝送路（通話路）を形成するためのものである。
【００３４】
復調回路３８は、ＣＰＵ３９により制御され、第１、第２、第３の玄関子機１ａ、１ｂ、１ｃのカメラ１１にて撮像された映像であり、ＦＭ変調された後に第１、第２、第３の各子機／親機ラインＬ1a、Ｌ1b、Ｌ1c、子機側親機Ｉ／Ｆ４０を経由して伝送されてくる映像信号を復調してモニタ３２に出力するためのものである。
【００３５】
ＣＰＵ３９は、当該居室親機の構成各部／回路をそれぞれ制御するばかりでなく、第１、第２、第３の各玄関子機１ａ、１ｂ、１ｃおよび第１、第２、第３の各防犯センサ２ａ、２ｂ、２ｃを制御する機能を有している。
【００３６】
子機側親機Ｉ／Ｆ４０は、第１、第２、第３の各子機／親機ラインＬ1a、Ｌ1b、Ｌ1cのうち何れか１本のラインおよび通話回路３７の間における双方向の信号伝送路（通話路）と、第１、第２、第３の各子機／親機ラインＬ1a、Ｌ1b、Ｌ1cのうち何れか１本または複数本のラインから復調回路３８への信号伝送路と、第１、第２、第３の各子機／親機ラインＬ1a、Ｌ1b、Ｌ1cのうち何れか１本または複数本のラインおよびＣＰＵ３９の間における双方向の信号伝送路とを、それぞれ形成するためのものである。
【００３７】
センサ側親機Ｉ／Ｆ４１は、第１、第２、第３の各センサ／親機ラインＬ2a、Ｌ2b、Ｌ2cのうち何れか１本または複数本のラインおよびＣＰＵ３９の間における双方向の信号伝送路を形成するためのものである。
【００３８】
このように構成された本発明を実施するための最良の一形態であるインターホンシステムにおいて、以下、具体的な動作について、図１（ａ）、（ｂ）および図２のフローチャート図を参照して説明する。なお、図２のフローチャート図は、動作遷移の一例を示す図である。
【００３９】
なお、屋外に居る来訪者が第１、第２、第３の各玄関子機１ａ、１ｂ、１ｃのうち何れか１台の玄関子機の呼出ボタン１０を使用して所定の呼出操作、すなわち、ワンショット操作を行い、居室親機３の親機スピーカ３１から呼出音を放音させるような呼出報知の動作と、呼出ボタン１０が操作された何れか１台の玄関子機のカメラ１１にて撮像された映像を居室親機３のモニタ３２に出画させる動作と、屋内に在室中の居住者が居室親機３の通話ボタン３３を使用して応答操作を行い、来訪者との間で通話を成立させる動作は、それぞれ先行技術等の各種文献に開示されている公知技術であるため、その説明は省略する。
【００４０】
居室親機３に複数台の防犯センサを接続する、ここでは、図１（ａ）、（ｂ）に示すように、第１、第２、第３の各センサ／親機ラインＬ2a、Ｌ2b、Ｌ2cを経由して３台の第１、第２、第３の各防犯センサ２ａ、２ｂ、２ｃが接続されている場合において、屋内に在室中の居住者や当該インターホンシステムの管理者等は、居室親機３の防犯設定回路３６を使用して、第１、第２、第３の各防犯センサ２ａ、２ｂ、２ｃのうち防犯設定の対象の防犯センサやタイマ３５にて計時される遅延時間、例えば、３０秒、２分、５分のうち何れかの１つの時間を設定することができる。また、設定された情報（以下、防犯設定情報という。）は、ＣＰＵ３９に保存される。ここでは、全ての防犯センサ２ａ、２ｂ、２ｃが防犯設定の対象であり、遅延時間が５分である防犯設定情報が防犯設定回路３６にて予め設定された後、ＣＰＵ３９に保存されているものとする。
【００４１】
次に、前述のような防犯設定情報が設定／保存されている状態において、居住者は、外出により屋内を不在とする前に、第１、第２、第３の各防犯センサ２ａ、２ｂ、２ｃがそれぞれ取り付けられている屋内の窓を閉めた後、防犯設定を起動させるために居室親機３の防犯設定ボタン３４を操作する（ステップＳＴ１００、ＳＴ１０１）。この操作を検出したＣＰＵ３９は、タイマ３５の計時機能を能動にして遅延時間である５分間の計時を開始させるとともに（ステップＳＴ１０２）、タイマ３５が計時している旨について、第１、第２、第３の各玄関子機１ａ、１ｂ、１ｃにてそれぞれ報知するための制御信号（以下、第１の制御信号という。）を生成する。この第１の制御信号は、ＣＰＵ３９から子機側親機Ｉ／Ｆ４０、第１、第２、第３の各子機／親機ラインＬ1a、Ｌ1b、Ｌ1cを経由して第１、第２、第３の各玄関子機１ａ、１ｂ、１ｃへとそれぞれ伝送される。
【００４２】
第１、第２、第３の各玄関子機１ａ、１ｂ、１ｃは、それぞれ居室親機３のＣＰＵ３９より伝送されてきた第１の制御信号を検出すると、ＬＥＤ１４を所定のパターンで点滅／点灯させることにより、居室親機３のタイマ３５が計時している旨の報知（視認報知）が行われる。
【００４３】
なお、居室親機３のタイマ３５にて計時中の５分間は、防犯設定の対象である第１、第２、第３の各防犯センサ２ａ、２ｂ、２ｃが監視状態へと移行せず保留状態となっており、居住者は、この遅延時間内に玄関を閉めて外出のための準備を行う。
【００４４】
次に、玄関を閉めて外出のための準備を行っている居住者が居室親機３のタイマ３５にて計時中の５分間外出先へと移動せず、さらには、第１、第２、第３の各玄関子機１ａ、１ｂ、１ｃのうち何れか１台の玄関子機の呼出ボタン１０を長押しせずに待機した場合において（ステップＳＴ１０３）、５分間のタイムアップを検出したＣＰＵ３９は、防犯設定の対象である第１、第２、第３の各防犯センサ２ａ、２ｂ、２ｃを監視状態に移行させることができる（ステップＳＴ１０４、ＳＴ１０５）。
【００４５】
ここで、監視状態の第１、第２、第３の各防犯センサ２ａ、２ｂ、２ｃがそれぞれ取り付けられている居室の窓が正常に閉められていた場合、これを検出したＣＰＵ３９は、防犯設定が完了した旨について、第１、第２、第３の各玄関子機１ａ、１ｂ、１ｃにて報知するための制御信号（以下、第２の制御信号という。）を生成する。この第２の制御信号は、前述の第１の制御信号と同一の信号伝送路を経由して第１、第２、第３の各玄関子機１ａ、１ｂ、１ｃへとそれぞれ伝送される。
【００４６】
第１、第２、第３の各玄関子機１ａ、１ｂ、１ｃは、それぞれ居室親機３のＣＰＵ３９より伝送されてきた第２の制御信号を検出すると、防犯設定の対象である第１、第２、第３の各防犯センサ２ａ、２ｂ、２ｃが監視状態に移行された旨の確認音（以下、第１の確認音という。）を子機スピーカ１３から放音させることができ、ゆえに、防犯設定が終了する（ステップＳＴ１０６、ＳＴ１０７）。
【００４７】
なお、第１、第２、第３の各玄関子機１ａ、１ｂ、１ｃは、それぞれ居室親機３のＣＰＵ３９より伝送されてきた第２の制御信号を検出すると、居室親機３のタイマ３５が計時している旨のパターンとは異なる所定のパターンでＬＥＤ１４を点滅／点灯させることにより、防犯設定が完了し、当該防犯設定の対象である第１、第２、第３の各防犯センサ２ａ、２ｂ、２ｃが監視状態に移行されたことの報知（視認報知）が行われる。
【００４８】
したがって、居室親機３のタイマ３５にて計時中の５分間、玄関から外出先へと移動せずに待機していた居住者にとっては、第１、第２、第３の各玄関子機１ａ、１ｂ、１ｃのうち（少なくとも）何れか１台の玄関子機の子機スピーカ１３から放音された第１の確認音および／または所定のパターンで点滅／点灯されたＬＥＤ１４をもとに、防犯設定が完了し、当該防犯設定の対象である第１、第２、第３の各防犯センサ２ａ、２ｂ、２ｃが監視状態に移行された旨を容易に確認でき、この確認の後、外出先へと向かう。
【００４９】
一方、監視状態の第１、第２、第３の各防犯センサ２ａ、２ｂ、２ｃがそれぞれ取り付けられている屋内の窓のうち、例えば、第１の防犯センサ２ａが取り付けられている窓を閉め忘れていた場合、これを検出した居室親機３のＣＰＵ３９は、第１の防犯センサ２ａが取り付けられた窓が開いている旨について、第１、第２、第３の各玄関子機１ａ、１ｂ、１ｃにて報知するための制御信号（以下、第３の制御信号という。）を生成する。この第３の制御信号は、前述の第１、第２の各制御信号と同一の信号伝送路を経由して第１、第２、第３の各玄関子機１ａ、１ｂ、１ｃへとそれぞれ伝送される。
【００５０】
第１、第２、第３の各玄関子機１ａ、１ｂ、１ｃは、それぞれ居室親機３のＣＰＵ３９より伝送されてきた第３の制御信号を検出すると、第１の防犯センサ２ａが取り付けられた窓を閉め忘れている旨の確認音（以下、第２の確認音という。）を子機スピーカ１３から放音させることができる。
【００５１】
なお、第１、第２、第３の各玄関子機１ａ、１ｂ、１ｃは、それぞれ居室親機３のＣＰＵ３９より伝送されてきた第３の制御信号を検出すると、居室親機３のタイマ３５が計時している旨および防犯設定が完了している旨のパターンとは異なる所定のパターンでＬＥＤ１４を点滅／点灯させることにより、第１の防犯センサ２ａが取り付けられた窓を閉め忘れている旨の報知（視認報知）が行われる。
【００５２】
したがって、居室親機３のタイマ３５にて計時中の５分間、玄関から外出先へと移動せずに待機していた居住者にとっては、第１、第２、第３の各玄関子機１ａ、１ｂ、１ｃのうち（少なくとも）何れか１台の玄関子機の子機スピーカ１３から放音された第２の確認音および／または所定のパターンで点滅／点灯されたＬＥＤ１４をもとに、第１の防犯センサ２ａが取り付けられた窓を閉め忘れていることを容易に確認することができ、この確認の後、居室内へと戻り、該当する窓を閉める。
【００５３】
また、第１の防犯センサ２ａが取り付けられた窓を閉めると、これを検出した居室親機３のＣＰＵ３９は、前述と同様、防犯設定が完了した旨の第２の制御信号を生成して第１、第２、第３の各玄関子機１ａ、１ｂ、１ｃにそれぞれ出力することにより、居室親機３のタイマ３５にて計時中の５分間、玄関から外出先へと移動せずに待機しており、この待機中に第１の防犯センサ２ａが取り付けられた窓を閉めた居住者にとっては、第１、第２、第３の各玄関子機１ａ、１ｂ、１ｃのうち（少なくとも）何れか１台の当該玄関子機の子機スピーカ１３から放音された前述の第１の確認音（および／または所定のパターンで点滅／点灯されたＬＥＤ１４）をもとに、防犯設定が完了した旨を容易に確認でき、この確認の後、外出先へと向かう（ステップＳＴ１０６、ＳＴ１０７）。
【００５４】
次に、玄関を閉めて外出のための準備を行っている居住者が居室親機３のタイマ３５にて計時中の５分間のタイムアップを待たずに、防犯設定の対象である第１、第２、第３の各防犯センサ２ａ、２ｂ、２ｃをそれぞれ監視状態に移行させるためには（ステップＳＴ１００、ＳＴ１０１、ＳＴ１０２）、第１、第２、第３の各玄関子機１ａ、１ｂ、１ｃのうち何れか１台の玄関子機の呼出ボタン１０を長押しする（ステップＳＴ１０３）。ここでは、第１の玄関子機１ａの呼出ボタン１０を使用して長押しが行われると、来訪者からの呼出時とは異なる信号フォーマット、例えば、長押し操作が行われている間、断続出力の呼出信号が生成される。この呼出信号には、第１の玄関子機１ａを識別するためのＩＤが付加されており、子機／親機ラインＬ1、居室親機３の子機側親機Ｉ／Ｆ４０を経由してＣＰＵ３９へと伝送される。
【００５５】
居室親機３のＣＰＵ３９は、継続出力で伝送されてきた呼出信号に付加されているＩＤをもとに、玄関を閉めて外出のための準備を行っている居住者により、第１の玄関子機１ａにおいて監視状態への移行のための操作が行われたことを検出する。このＣＰＵ３９は、５分間を計時中のタイマ３５の計時機能を非能動とするとともに、防犯設定の対象である第１、第２、第３の各防犯センサ２ａ、２ｂ、２ｃを監視状態に移行させることができる（ステップＳＴ１０５）。
【００５６】
ここで、監視状態の第１、第２、第３の各防犯センサ２ａ、２ｂ、２ｃがそれぞれ取り付けられている居室の窓が正常に閉められていた場合、これを検出したＣＰＵ３９は、防犯設定が完了した旨について、第１、第２、第３の各玄関子機１ａ、１ｂ、１ｃのうち前述の検出されたＩＤに該当する玄関子機、すなわち、第１の玄関子機１ａにのみ報知するための制御信号（以下、第４の制御信号という。）を生成する。この第４の制御信号は、ＣＰＵ３９から子機側親機Ｉ／Ｆ４０、第１の子機／親機ラインＬ1aを経由して第１の玄関子機１ａへと伝送される。
【００５７】
第１の玄関子機１ａは、居室親機３のＣＰＵ３９より伝送されてきた第４の制御信号を検出すると、第１、第２、第３の各防犯センサ２ａ、２ｂ、２ｃが監視状態に移行された旨の前述の第１の確認音を子機スピーカ１３から放音させることができ、ゆえに、防犯設定が完了する（ステップＳＴ１０６、ＳＴ１０７）。
【００５８】
なお、第１の玄関子機１ａは、居室親機３のＣＰＵ３９より伝送されてきた第４の制御信号を検出すると、前述のような居室親機３のタイマ３５が計時している旨のパターンとは異なる所定のパターンでＬＥＤ１４を点滅／点灯させることにより、防犯設定が完了し、当該防犯設定の対象である第１、第２、第３の各防犯センサ２ａ、２ｂ、２ｃが監視状態であることの報知（視認報知）が行われる。
【００５９】
したがって、居室親機３のタイマ３５にて計時中の５分間のタイムアップを待たずに監視状態への移行のための操作を行った居住者にとっては、この操作を行った第１の玄関子機１ａの子機スピーカ１３から放音された確認音および／または所定のパターンで点滅／点灯されたＬＥＤ１４をもとに、防犯設定が完了し、当該防犯設定の対象である第１、第２、第３の各防犯センサ２ａ、２ｂ、２ｃが監視状態に移行された旨を容易に確認でき、この確認の後、外出先へと向かう。
【００６０】
一方、監視状態の第１、第２、第３の各防犯センサ２ａ、２ｂ、２ｃがそれぞれ取り付けられている居室の窓のうち、例えば、第２の防犯センサ２ｂが取り付けられている窓を閉め忘れていた場合、これを検出した居室親機３のＣＰＵ３９は、第２の防犯センサ２ｂが取り付けられた窓を閉め忘れている旨について、第１の玄関子機１ａにて報知するための制御信号（以下、第５の制御信号という。）を生成する。この第５の制御信号は、前述の第４の制御信号と同一の信号伝送路を経由して第１の玄関子機１ａへと伝送される。
【００６１】
第１の玄関子機１ａは、居室親機３のＣＰＵ３９より伝送されてきた第５の制御信号を検出すると、第２の防犯センサ２ｂが取り付けられた窓を閉め忘れている旨の確認音（以下、第３の確認音という。）を子機スピーカ１３から放音させることができる。
【００６２】
なお、第１の玄関子機１ａは、居室親機３のＣＰＵ３９より伝送されてきた第５の制御信号を検出すると、前述のような居室親機３のタイマ３５が計時している旨および防犯設定が完了している旨のパターンとは異なる所定のパターンでＬＥＤ１４を点滅／点灯させることにより、第２の防犯センサ２ｂが取り付けられた窓を閉め忘れていることの報知（視認報知）が行われる。
【００６３】
したがって、居室親機３のタイマ３５にて計時中の５分間のタイムアップを待たずに監視状態への移行のための操作を行った居住者にとっては、その操作を行った第１の玄関子機１ａの子機スピーカ１３から放音された第３の確認音および／または所定のパターンで点滅／点灯されたＬＥＤ１４をもとに、第２の防犯センサ２ｂが取り付けられた窓が閉め忘れている旨を容易に確認でき、この確認の後、居室内へと戻り、該当する窓を閉める。
【００６４】
また、第２の防犯センサ２ｂが取り付けられた窓を閉めると、これを検出した居室親機３のＣＰＵ３９は、前述と同様、防犯設定が完了した旨の第４の制御信号を生成して第１の玄関子機１ａに出力することにより、居室親機３のタイマ３５にて計時中の５分間のタイムアップを待たずに監視状態への移行のための操作を行った居住者にとっては、第１の玄関子機１ａの子機スピーカ１３から放音された前述の第１の確認音および／または所定のパターンで点滅／点灯されたＬＥＤ１４をもとに、防犯設定が完了し、当該防犯設定の対象である第１、第２、第３の各防犯センサ２ａ、２ｂ、２ｃが監視状態に移行された旨を容易に確認でき、この確認の後、外出先へと向かう（ステップＳＴ１０６、ＳＴ１０７）。
【００６５】
なお、前述の動作において、第１、第２、第３の各玄関子機１ａ、１ｂ、１ｃの呼出ボタン１０にて行われる長押しが、居室親機３のタイマ３５にて計時中の遅延時間外であった場合には、この操作を検出したＣＰＵ３９の制御（詳述せず）により、呼出ボタン１０の長押しが行われた何れか１台の玄関子機の子機マイク１２から親機スピーカ３１への信号伝送路（通話路）を形成し、強制送話モードに移行させることもできる。
【００６６】
また、第１、第２、第３の各玄関子機１ａ、１ｂ、１ｃにおいて適用される第１、第２、第３の防犯センサ２ａ、２ｂ、２ｃを監視状態に移行させるための所定の操作は、呼出ボタン１０を長押しする手段が適用されたが、この操作手段に限定されるものではない。例えば、玄関子機に呼出ボタン１０とは異なる別体の操作部を設け、この操作部を使用して監視状態に移行させるための所定の操作を行うこともできる。
【００６７】
また、第１、第２、第３の各玄関子機１ａ、１ｂ、１ｃに設けられる子機表示部は、ＬＥＤ１４に限定されるものではない。例えば、ＬＥＤ１４に代わりＬＣＤ、有機ＥＬ等のモニタを設けることもできる。このモニタを適用することにより、防犯設定が完了した旨、または未完了である旨を、文字メッセージや絵データ等の表示で報知（視認報知）することができる。なお、子機表示部としては、ＬＥＤおよびモニタの併用も可能である。
【００６８】
また、居室親機３の通話ボタン３３および防犯設定ボタン３６は、別体の操作ボタンとして設けたが、この態様に限定されるものではない。例えば、居室親機３に別途、タッチパネルを設け、このタッチパネルを使用した入力操作により、前述のモニタのトップ画面に表示させた通話ボタン３２および防犯設定ボタン３６をそれぞれ押すこともできる。
【００６９】
さらに、居室親機３の子機側親機Ｉ／Ｆ４０およびセンサ側親機Ｉ／Ｆ４１は、別体のＩ／Ｆとして設けたが、この態様に限定されるものではなく、一体で設けることもできる。
【００７０】
本発明のインターホンシステムにおいては、特定の実施の形態をもって説明してきたが、この形態に限定されるものでなく、本発明の効果を奏する限り、これまで知られた如何なる構成であっても採用できるということはいうまでもないことであり、マンション等の集合住宅インターホンシステムに適用することもできる。
【図面の簡単な説明】
【００７１】
【図１】（ａ）は、本発明を実施するための最良の一形態であるインターホンシステムの全体構成（外観構成）を示すシステム説明図である。（ｂ）は、本発明を実施するための最良の一形態であるインターホンシステムにおいて、居室親機の具体的な構成を示すブロック図である。
【図２】本発明を実施するための最良の一形態であるインターホンシステムにおいて、具体的な動作を説明するにあたり、動作遷移の一例を示すフローチャート図である。
【符号の説明】
【００７２】
１ａ、１ｂ、１ｃ……第１、第２、第３の各玄関子機（玄関子機）
１０……呼出ボタン（呼出部）
１２……子機マイク（子機通話部）
１３……子機スピーカ（子機通話部）
１４……ＬＥＤ（子機表示部）
２ａ、２ｂ、２ｃ……第１、第２、第３の各防犯センサ（防犯センサ）
３……居室親機
３０……親機マイク（親機通話部）
３１……親機スピーカ（親機通話部）
３４……防犯設定ボタン（防犯設定部）
３５……タイマ
３９……ＣＰＵ
【図１】
2007096718.tif 000003
【図２】
2007096718.tif 000004